(57)【要約】【課題】便器使用中の水はねの防止および洗浄効果を向上させることが可能な洋風便器装置を提供する。【解決手段】便器本体２のボウル部３に溜め込んだ溜水Ｆに、洗浄液を注入して使用するようにした洋風便器装置１において、洗浄液を泡状にして溜水Ｆ内に注入させる洗浄液注入手段１０と、ボウル部３の溜水面Ｆａに向けて送風する送風口８ａを有した送風手段８とを備えている。【選択図】図１
2007314974.tif 000002
【特許請求の範囲】
【請求項１】
便器本体のボウル部に溜め込んだ溜水に、洗浄液を注入して使用するようにした洋風便器装置において、
洗浄液を泡状にして上記溜水内に注入させる洗浄液注入手段と、
上記ボウル部の溜水面に向けて送風する送風口を有した送風手段とを備えたことを特徴とする、洋風便器装置。
【請求項２】
便器本体のボウル部に溜め込んだ溜水に、洗浄液を注入して使用するようにした洋風便器装置において、
洗浄液を泡状にして上記溜水内に注入させる洗浄液注入手段と、
上記ボウル部より延出された排出管の終端に上下に反転駆動の可能な蛇腹式のトラップ部を備え、このトラップ部を、排水路に連通された空所に収容させたターントラップ水洗手段とを備えており、
洗浄液注入手段によって泡状にした洗浄液を上記ボウル部内の溜水に注入し、その溜水面に洗浄液泡沫を浮かせた後、上記蛇腹式トラップ部を振動させることで上記溜水面に振動を加えるようにしたことを特徴とする、洋風便器装置。
【発明の詳細な説明】
【技術分野】
【０００１】
本発明は、洗浄液を泡状にして溜水内に注入させるようにした洋風便器装置の改良に関するものである。
【背景技術】
【０００２】
従来の水洗式の洋風便器装置には、例えば特許文献１に示すように、ボウル部内の洗浄効果の向上、排尿、排便時の水はね（いわゆる、おつり）防止を図り、洗浄液に気泡を混入させたものが提案されている。
【０００３】
また、水洗式の洋風便器装置はボウル部内の溜水が一定の高さに保たれているため、ボウル部内壁の溜水面境界付近には、経年使用による水垢などの汚れが付着しやすいが、洗浄液に薬剤や洗剤を混入するなどして溜水面全体を泡状に維持できるようにすれば、内壁の汚れの発生を防止することもできる。
【特許文献１】特開２００２−８８８８０号公報
【発明の開示】
【発明が解決しようとする課題】
【０００４】
しかしながら、便器の使用中にいちど排尿、排便をすると、溜水面の泡が消え泡面は穴が開いた状態になるため、その後の排尿、排便での水はね防止の効果はほとんど期待できない。
【０００５】
本発明は、このような事情を考慮して提案されたもので、その目的は、便器使用中の水はねの防止および洗浄効果を向上させることが可能な洋風便器装置を提供することにある。
【課題を解決するための手段】
【０００６】
本発明者らは、上記目的を達成するために、構成が異なる２つの発明を提案している。
【０００７】
第１の本発明である請求項１に記載の洋風便器装置は、便器本体のボウル部に溜め込んだ溜水に、洗浄液を注入して使用するようにした洋風便器装置において、洗浄液を泡状にして溜水内に注入させる洗浄液注入手段と、ボウル部の溜水面に向けて送風する送風口を有した送風手段とを備えたことを特徴としている。
【０００８】
第２の本発明である請求項２に記載の洋風便器装置は、洗浄液を泡状にして上記溜水内に注入させる洗浄液注入手段と、ボウル部より延出された延水管の終端に上下に反転駆動の可能な蛇腹式のトラップ部を備え、このトラップ部を排水路に連通された空所に収容させたターントラップ水洗手段とを備えており、洗浄液注入手段によって泡状にした洗浄液をボウル部内の溜水に注入し、その溜水面に洗浄液泡沫を浮かせた後、蛇腹式トラップ部を振動させることで上記溜水面に振動を加えるようにしたことを特徴としている。
【発明の効果】
【０００９】
請求項１に記載の洋風便器装置によれば、溜水面に向けて送風する構成であるため、溜水面上の泡沫を一定の方向に誘導することができ、例えば、排便によって泡が途切れた状態になっても、送風によって泡を一定箇所に集めることができる。そのため、便器使用中は常時、泡を溜水面の中央付近に集めることができ、排尿、排便中は水はねの心配がほとんどない。
【００１０】
請求項２に記載の洋風便器装置によれば、蛇腹式トラップ部の振動によって溜水面を振動させるようにしているので、請求項１と同様に、溜水面の泡を適当な箇所に移動することができる。
【００１１】
さらにこれらの請求項によれば、便器を使用しないときでも送風手段、ターントラップ水洗手段を周期的に駆動させれば、常に泡沫を溜水面上に均一にバランスよく分散させることができ、ボウル部内面の溜水境界と接する箇所の汚れを効果的に防止することができる。
【発明を実施するための最良の形態】
【００１２】
以下に、第１、第２の本発明の実施の形態について、添付図面とともに説明する。
【実施形態１】
【００１３】
図１は、第１の本発明の洋風便器装置の一実施形態を示した外観斜視図である。
【００１４】
この洋風便器装置１は、ボウル部３と、スカート部４とを含んで樹脂または陶器で形成された便器本体２、便座５、便蓋６、便座・便蓋用の回動部７を備えており、排水時以外はボウル部３には所定量の水（排水）が溜水Ｆとして常時、溜められている。また、本洋風便器装置１は、洗浄液を泡状にしてボウル部３内に注入するようにした洗浄液注入手段１０（図３にて後述）を有しており、それによって、図示するように溜水面Ｆａに泡沫Ｂを浮かせた状態にするようにしている。
【００１５】
なお、ボウル部３の底部から後方へ排出管１３ａ（図３参照）が延出され、排出管１３ａの終端より排水する構造となっているが、この排水構造については図３にて後述する。
【００１６】
本洋風便器装置１はさらに、ボウル部３の上端に形成されたリム部３ａの後方壁面に、ボウル部３内の溜水に向けて送風する送風口８ａを備え、その送風口８ａへ空気を送り込む送風装置８ｂが便器本体内２のボウル部３後方の空間に設けられている。この送風装置８ａと、送風口８ｂとを含んで送風手段８を構成している。
【００１７】
本発明では、この送風口８ａからの送風を溜水面Ｆａに浮かんだ泡沫Ｂに加えて、移動させる構成としている。
【００１８】
図２は、本発明の洋風便器装置１の送風作用の一例を示したものである。
【００１９】
泡沫Ｂを溜水面Ｆａに浮かせた状態で人が排尿、排便をしたときには、図２（ａ）に示すように、尿、便が落下した中央部分は泡沫Ｂが消え、あるいは周囲に分散し溜水面Ｆａの泡沫Ｂ群は中央部分のないドーナツ形状に変化するが、送風口８ａより送風すると、泡沫Ｂ群を中央部分に移動させて、再び溜水面Ｆａを塞ぐことができる。
【００２０】
すなわち、このような送風手段８によれば、便器使用中に排尿、排便によって泡沫Ｂが途切れた状態になっても、送風することによって泡沫Ｂを溜水面Ｆａの中央付近に集めることができ、そのため、その後の排尿、排便による水はね（おつり）を防止することができる。
【００２１】
また、ボウル部３の後方より一定方向のみに送風するのではなく、送風方向を異ならせるようにリム部３ａの内周壁に送風口８ａを設ければ、効果的に泡Ｂを中央に集結させることができる。
【００２２】
便器本体２には操作スイッチ（不図示）を設けており、この操作スイッチにより、送風手段８の駆動、停止および風向き設定などを可能としている。また、後述するように、便器未使用時にも周期的に自動駆動できるようにしてもよい。
【００２３】
なお、送風手段２は局部洗浄用の乾燥装置（不図示）を代用してもよい。
【００２４】
図３は、本発明の洋風便器装置１の縦断面を模式的に示したものである。本図により、泡状洗浄液の注入原理について説明する。
【００２５】
洋風便器装置１は、洗浄液を泡状にしてボウル部３内の溜水Ｆに注入させるために、洗浄液供給装置１１と、微細泡粒を洗浄液に混入する微細泡粒発生装置１２とよりなる洗浄液供給手段１０を有している。
【００２６】
また、洗浄液供給装置１１は、水道水からなる洗浄液をいったんロータンク１１ａ内に溜め、所定水量の洗浄液を洗浄液流路１１ｂを介して吐水部１１ｃからボウル部３に吐出するようにしており、洗浄液は、ボウル部３内に直接吐出され、あるいは、ボウル部３の上端に連なるリム部３ａを介してボウル部３の周囲からボウル部３内に吐出されるようになっている。なお、１１ｄは、水道管からロータンク１１ａ内への洗浄液を供給、停止するための洗浄液供給弁を示している。
【００２７】
一方の微細泡粒発生装置１２は、ロータンク１１ａ内へ供給する洗浄液に気体を混入させて気体混合洗浄液を得る気体混入部１２ａと、気体混入部１２ａから洗浄液が逆流することを防止する逆止弁１２ｂと、水道管（不図示）からロータンク１１ａ内へ洗浄液を圧送するエアポンプ１２ｃと、ロータンク１１ａと兼用して構成され、エアポンプ１２ｃで圧送された気体混合洗浄液の泡粒を高圧下で洗浄液に溶解させて気体溶解洗浄液を得る溶解タンク１２ｄと、気体溶解洗浄液内の気体を析出させて微細泡粒を発生させて微細泡粒含有洗浄液を得る泡発生ノズル１２ｅとを備えている。
【００２８】
以上のように、洗浄液流路１１ｂのボウル部３に通じる吐水部１１ｃに泡発生ノズル１２ｅを配置することによって、洗浄液を泡状にしてボウル部３内へ供給している。
【００２９】
また、ボウル部３底部から排水路１４まで延出された排出管１３ａが便器本体２に内装され、この排出管１３ａによってトラップ部１３を構成し、このトラップ部１３によって、ボウル部３内の溜水Ｆが一定の高さを保持できるようになっている。
【００３０】
便器未使用時には、溜水Ｆは一定高さに維持されるため、ボウル部３内の溜水面Ｆａの境界部分には水垢が付着しやすいが、泡状の洗浄液による洗浄効果により、汚れの発生を抑止することができる。
【００３１】
また、この洋風便器装置１は送風口８ａから溜水面Ｆａに向けて送風する構成であるため、上記の水はね防止効果があるとともに、溜水面Ｆａの泡沫Ｂが点在した場合でも、送風によって泡沫Ｂを溜水面Ｆａ上に隙間なく分散させて均一の状態にすることもでき、そのような泡沫Ｂのボウル部３の内壁への接触によってボウル部３内の溜水面Ｆａ付近の汚れ防止効果を高めることができる。
【００３２】
なお、ボウル部３内の洗浄効果を高めるために、便器未使用時のときに、周期的に送風装置８ｂを自動駆動させて泡沫Ｂ群を均一状態に保持できるようにしてもよい。また、便器使用中は水はね防止を目的とした泡沫集結ができるよう、未使用時にはボウル部３内壁の汚れ防止のための泡沫分散ができるよう、２つのモードを持たせてもよい。
【実施形態２】
【００３３】
図４は、第２の本発明の洋風便器装置の一例を示した模式縦断面図である。なお、本実施形態の外観、送風作用については、実施形態１と同様であるため図１、図２を代用し、図示および説明を省略する。また、実施形態１と同様の構成部位については同一の符号を付して、その説明は省略する。
【００３４】
実施形態１に示した洋風便器装置１では、サイホン式のトラップ部１３（図３参照）を用いているが、この洋風便器装置１Ａでは、トラップ部１３に代えてターントラップ水洗手段２０を有している。
【００３５】
このターントラップ水洗手段２０は、トラップ部２１と駆動機構２２とを含んで構成される。このトラップ部２１は、排出管１３ａに連結され、蛇腹構造により屈曲柔軟性を有するトラップホース２１ａと、トラップホース２１ａの先端に取り付けて密着される終端部材２１ｂとからなり、駆動機構２２は、終端部材２１ｂに取り付けられ、モータ（不図示）の駆動により回転される回転軸部２２ａと、回転軸部２２ａの回転を伝えるアーム部材２２ｂとを含んで構成される。
【００３６】
このようなターントラップ水洗手段２０を用いた洋風便器装置１Ａでは、トラップホース２１ａは、排水時以外は上向きになっており、トラップホース２１ａとボウル部３に溜水４を溜めている。
【００３７】
排水時には、電磁弁（不図示）を開いて、排水を、洗浄液流路６１、吐水部６２を通じて、ボウル部３の内面に流す。
【００３８】
これと同時に、ターントラップ水洗手段２０では、モータの駆動により回転軸部２２ａが矢印方向に回転するので、回転軸部２２ａの回転がアーム部材２２ｂに伝達されて、回転軸部２２ａが中心に矢印方向に回転する。
【００３９】
すると、アーム部材２２ｂと接続された終端部材２１ｂがトラップホース２１ａを下方向に押し下げるので、トラップホース２１ａが矢印方向に垂れ下がり、排水と汚物とが排出路１４に排出される。汚物排出後は、アーム部材２２ｂを逆方向に回転させてトラップホース２１ａを元の位置に復帰させた状態で再び、ボウル部３内に溜水するようにしている。
【００４０】
本実施形態では、洗浄時に上記のような基本動作をするターントラップ水洗手段２０を利用して、ボウル部３内の溜水Ｆを振動させるようにしている。
【００４１】
すなわち、排尿、排便中、溜水面Ｆａの中央部分の泡Ｂが消え、あるいは周囲に分散し、泡沫Ｂがドーナツ形状に変化したときなどには、ターントラップ水洗手段２０を駆動させてトラップ部２１を振動させることで溜水面Ｆａに振動を加えて泡沫Ｂを移動できるようにしている。トラップ部２１を振動は、操作スイッチ（不図示）によって起こさせるようにすればよい。また、便器使用中は間欠的に駆動させるようにしてもよい。
【００４２】
このようなターントラップ水洗手段２０によれば、便器使用中に排尿、排便によって泡沫Ｂ群がドーナツ形状に変化した場合には、泡Ｂを溜水面Ｆａの中央付近に集めることができ、水はね（おつり）を防止することができる。
【００４３】
また、溜水面Ｆａは振動するため、泡沫Ｂを溜水面上に均一状態に分散させて溜水面Ｆａを泡Ｂで塞ぐことができ、ボウル部３内面の溜水面Ｆａ付近の汚れ防止効果を高めることができる。
【図面の簡単な説明】
【００４４】
【図１】本発明の洋風便器装置の一実施形態を示した外観斜視図である。
【図２】（ａ）、（ｂ）は、本発明の洋風便器装置の送風作用の一例を示した図である。
【図３】第１の本発明の洋風便器装置の一例を示した模式縦断面図である。
【図４】第２の本発明の洋風便器装置の一例を示した模式縦断面図である。
【符号の説明】
【００４５】
１      洋風便器装置（実施形態１）
２      便器本体
３      ボウル部
４      スカート部
８      送風手段
８ａ      送風口
８ｂ      送風装置
８ｃ      送風管
１０      洗浄液注入手段
１３      トラップ部
Ｆ      溜水
Ｆａ      溜水面
Ｂ      泡沫
１Ａ      洋風便器装置（実施形態２）
１３ａ      排出管
１４      排水路
２０      ターントラップ水洗手段
２１      トラップ部
２２      駆動機構
【図１】
2007314974.tif 000003
【図２】
2007314974.tif 000004
【図３】
2007314974.tif 000005
【図４】
2007314974.tif 000006